【手続補正書】
【提出日】平成19年9月21日(2007.9.21)
【手続補正１】
【補正対象書類名】明細書
【補正対象項目名】発明の名称
【補正方法】変更
【補正の内容】
【発明の名称】インクジェット記録装置およびインクジェット記録方法
【手続補正２】
【補正対象書類名】明細書
【補正対象項目名】特許請求の範囲
【補正方法】変更
【補正の内容】
【特許請求の範囲】
【請求項１】  記録ヘッドを記録媒体に対して相対的に走査しつつ複数の吐出口からインクを吐出させて記録媒体にバンド単位で記録を行うインクジェット記録装置において、
前記記録ヘッドのある走査と次の走査によって記録媒体に記録されるバンド同士のつなぎ部が記録されるのに要する時間に関連する走査間隔情報を取得する取得手段と、
この取得手段によって取得される走査間隔情報に基づいて、つなぎ部近傍へ打ち込むインクの量を低減させるための処理を行う低減手段と、
を有することを特徴とするインクジェット記録装置。
【請求項２】  前記取得手段は、前記記録ヘッドがある走査と次の走査の間で休止している遅延時間を走査間隔情報として取得することを特徴とする請求項１記載のインクジェット記録装置。
【請求項３】  前記取得手段は、記録位置と前記記録ヘッドが走査する方向の情報を走査間隔情報として取得することを特徴とする請求項１記載のインクジェット記録装置。
【請求項４】  前記取得手段は、前記記録ヘッドが走査するバンドのデータ量の情報を走査間隔情報として取得することを特徴とする請求項１記載のインクジェット記録装置。
【請求項５】  前記低減手段は、取得した走査間隔情報が示す時間が所定時間よりも長いとき、前記つなぎ部近傍へ打ち込むインクの量を低減させる処理を行うことを特徴とする請求項１または２に記載のインクジェット記録装置。
【請求項６】  前記低減手段は、取得した走査間隔情報が示す時間が長いほど、前記つなぎ部近傍へ打ち込むインクの量を多く低減させる処理を行うことを特徴とする請求項１、２または５のいずれかに記載のインクジェット記録装置。
【請求項７】  記録ヘッドを記録媒体に対して相対的に走査しつつ異なる色の複数のインクを吐出させて記録媒体に記録を行うインクジェット記録装置において、
前記記録ヘッドのある走査と次の走査によって記録媒体に記録されるバンド同士のつなぎ部が記録されるのに要する時間に関連する走査間隔情報を取得する取得手段と、
前記記録ヘッドの走査によって記録媒体に記録されるバンド同士のつなぎ部近傍を複数に分割してなる単位領域毎に、当該単位領域に打ち込まれる各インクの量の相対関係を示す相対情報を獲得する獲得手段と、
この獲得手段により獲得された各単位領域毎の相対情報と、当該単位領域に打ち込まれる各インクの量の和を示す量情報に基づいて、当該単位領域内のつなぎ部近傍に打ち込むインクの量を低減するための低減率を各インク毎に決定する決定手段と、
前記取得手段により取得した走査間隔情報が示す時間が所定時間よりも長いとき、前記決定手段によって決定されたインク毎の低減率に基づいて、前記つなぎ部近傍へ打ち込む各インクの量を低減させるための処理を行う低減手段と
を有することを特徴とするインクジェット記録装置。
【請求項８】  前記獲得手段は、前記単位領域に打ち込まれる各インクの量を、各インクに対応した２値データの数をカウントすることで取得し、
前記決定手段は、前記低減率として２値データの間引率を決定し、
前記低減手段は、前記間引率に基づいて２値データを間引くことを特徴とする請求項７記載のインクジェット記録装置。
【請求項９】  記録ヘッドを記録媒体に対して相対的に走査しつつ異なる色の複数のインクを吐出させて記録媒体に記録を行うインクジェット記録方法において、
前記記録ヘッドのある走査と次の走査によって記録媒体に記録されるバンド同士のつなぎ部が記録されるのに要する時間に関連する走査間隔情報を取得し、
前記記録ヘッドの走査によって記録媒体に記録されるバンド同士のつなぎ部近傍を複数に分割してなる各単位領域毎に、当該単位領域に打ち込まれる各インクの量の相対関係を示す相対情報を獲得し、
獲得された各単位領域毎の相対情報と、当該単位領域に打ち込まれる各インクの量の和を示す量情報に基づいて、当該単位領域内のつなぎ部近傍に打ち込むインクの量を低減するための低減率を各インク毎に決定し、
取得された走査間隔情報が示す時間が所定時間よりも長いとき、決定されたインク毎の低減率に基づいて、前記つなぎ部近傍へ打ち込む各インクの量を低減させるための処理を行うことを有することを特徴とするインクジェット記録方法。
【請求項１０】  記録ヘッドを記録媒体に対して相対的に走査しつつ複数の吐出口からインクを吐出させて記録媒体にバンド単位で記録を行う記録装置であって、
前記記録ヘッドのある走査と次の走査によって記録媒体に記録されるバンド同士のつなぎ部が記録されるのに要する時間に関連する遅延時間を取得する取得手段と、
つなぎ部近傍へ打ち込むインクに対応したデータを間引くための間引き処理を行う間引き処理手段とを備え、
前記間引き処理手段は、（Ａ）前記取得手段により取得した遅延時間が所定時間以下の場合に前記間引き処理を行う通常つなぎ処理手段と、（Ｂ）前記取得手段により取得した遅延時間が前記所定時間よりも長い場合に前記間引き処理を行う遅延つなぎ処理手段とを含むことを特徴とする記録装置。
【請求項１１】  前記通常つなぎ処理手段として、
前記つなぎ部近傍を複数に分割してなる単位領域毎に、当該単位領域に打ち込まれる各色インクのデータ数を獲得する第１の獲得手段と、
前記第１の獲得手段により獲得される各インク色毎のデータ数から、注目している単位領域の色域を判定する第１の色域判定手段と、
前記単位領域内において前記間引き処理を実行する間引き領域を指定する第１の間引き領域指定手段と、
前記第１の獲得手段により得られるデータ数と、前記第１の色域判定手段により判定された色域とに応じて、前記間引き領域の間引き率を設定する第１の間引き率設定手段と、
前記第１の間引き率設定手段により設定された間引き率に応じて、前記間引き領域に対応したデータに対して前記間引き処理を実行する第１の間引き処理手段と、
を備えたことを特徴とする請求項１０に記載の記録装置。
【請求項１２】  前記遅延つなぎ処理手段として、前記通常つなぎ処理手段とは別に独立して、
前記つなぎ部近傍を複数に分割してなる単位領域毎に、当該単位領域に打ち込まれる各色インクのデータ数を獲得する第２の獲得手段と、
前記第２の獲得手段により獲得される各インク色毎のデータ数から、注目している単位領域の色域を判定する第２の色域判定手段と、
前記単位領域内において前記間引き処理を実行する間引き領域を指定する第２の間引き領域指定手段と、
前記第２の獲得手段により得られるデータ数と、前記第２の色域判定手段により判定された色域とに応じて、前記間引き領域の間引き率を設定する第２の間引き率設定手段と、
前記第２の間引き率設定手段により設定された間引き率に応じて、前記間引き領域に対応したデータに対して前記間引き処理を実行する第２の間引き処理手段と、
を備えたことを特徴とする請求項１０または１１に記載の記録装置。
【請求項１３】  前記第１の間引き領域指定手段により指定される間引き領域は、前記単位領域内の、前記つなぎ部よりも記録媒体の排紙側にある領域であることを特徴とする請求項１０に記載の記録装置。
【請求項１４】  前記第２の間引き領域指定手段により指定される間引き領域は、前記単位領域内の、前記つなぎ部よりも記録媒体の給紙側にある領域であることを特徴とする請求項１０に記載の記録装置
【請求項１５】  前記遅延つなぎ処理手段は、前記遅延時間に応じて、前記間引き処理の間引き率を変更することを特徴とする請求項１０ないし１２のいずれかに記載の記録装置。
【請求項１６】  前記第２の間引き率設定手段は、前記間引き領域の位置と当該間引き領域を記録する際の前記記録ヘッドの走査方向に応じて、前記間引き率を変更可能であることを特徴とする請求項１２に記載の記録装置。
【手続補正３】
【補正対象書類名】明細書
【補正対象項目名】００１６
【補正方法】変更
【補正の内容】
【００１６】
【課題を解決するための手段】
本発明は上述の目的を達成するため、記録ヘッドを記録媒体に対して相対的に走査しつつ複数の吐出口からインクを吐出させて記録媒体にバンド単位で記録を行うインクジェット記録装置において、前記記録ヘッドのある走査と次の走査によって記録媒体に記録されるバンド同士のつなぎ部が記録されるのに要する時間に関連する走査間隔情報を取得する取得手段と、この取得手段によって取得される走査間隔情報に基づいて、前記つなぎ部近傍へ打ち込むインクの量を低減させるための処理を行う低減手段と、を有することを特徴とする。
【手続補正４】
【補正対象書類名】明細書
【補正対象項目名】００１７
【補正方法】変更
【補正の内容】
【００１７】
また、本発明は、記録ヘッドを記録媒体に対して相対的に走査しつつ異なる色の複数のインクを吐出させて記録媒体に記録を行うインクジェット記録装置において、前記記録ヘッドのある走査と次の走査によって記録媒体に記録されるバンド同士のつなぎ部が記録されるのに要する時間に関連する走査間隔情報を取得する取得手段と、前記記録ヘッドの走査によって記録媒体に記録されるバンド同士のつなぎ部近傍を複数に分割してなる単位領域毎に、当該単位領域に打ち込まれる各インクの量の相対関係を示す相対情報を獲得する獲得手段と、この獲得手段により獲得された各単位領域毎の相対情報と、当該単位領域に打ち込まれる各インクの量の和を示す量情報に基づいて、当該単位領域内のつなぎ部近傍に打ち込むインクの量を低減するための低減率を各インク毎に決定する決定手段と、前記取得手段により取得した走査間隔情報が示す時間が所定時間よりも長いとき、前記決定手段によって決定されたインク毎の低減率に基づいて、前記つなぎ部近傍へ打ち込む各インクの量を低減させるための処理を行う低減手段と、を有することを特徴とするインクジェット記録装置。